(57)【特許請求の範囲】
【請求項１】
テレビカメラに着脱可能であって、フォーカスレンズ及び／又はズームレンズをモータによって駆動するテレビカメラのレンズ装置において、
前記レンズ装置が前記テレビカメラに装着されているか否かを検出するレンズ着脱検出手段と、
前記レンズ着脱検出手段によって前記レンズ装置が前記テレビカメラから取り外されたことを検出すると、前記フォーカスレンズ及び／又はズームレンズを所定の収納位置に移動させる制御手段と、を備え、
前記収納位置は、撮影時における前記フォーカスレンズ及び／又はズームレンズの可動範囲の外側に設けられたことを特徴とするテレビカメラのレンズ装置。
【請求項２】
前記フォーカスレンズの収納位置が無限遠端側に設けられ、前記ズームレンズの収納位置がワイド端側に設けられたことを特徴とする請求項１のテレビカメラのレンズ装置。
【請求項３】
前記制御手段は、前記レンズ着脱検出手段によって前記レンズ装置が前記テレビカメラに装着されたことを検出すると、前記フォーカスレンズ及び／又はズームレンズを前記収納位置から所定の撮影開始位置に移動させることを特徴とする請求項１のテレビカメラのレンズ装置。
【請求項４】
前記レンズ装置は補助電源を備え、
前記レンズ装置が前記テレビカメラから取り外されると、前記補助電源によって前記モータを駆動することを特徴とする請求項１のテレビカメラのレンズ装置。
【請求項５】
前記補助電源は、前記フォーカスレンズ及び／又はズームレンズが前記収納位置に到達すると、オフされることを特徴とする請求項４のテレビカメラのレンズ装置。
【請求項６】
前記補助電源は、オンされてから所定時間経過するとオフされることを特徴とする請求項４のテレビカメラのレンズ装置。
【請求項７】
前記補助電源は、前記カメラの電源によって充電されるコンデンサ又は２次電池であることを特徴とする請求項４のテレビカメラのレンズ装置。
【請求項８】
撮影時における前記フォーカスレンズ及び／又はズームレンズの可動範囲を規制するストッパーを設け、前記レンズ装置が前記テレビカメラから取り外されたことを検出すると、前記ストッパーによる規制を解除して前記フォーカスレンズ及び／又はズームレンズを前記収納位置に移動可能にしたことを特徴とする請求項１のテレビカメラのレンズ装置。
【発明の詳細な説明】
【０００１】
【発明の属する技術分野】
本発明はテレビカメラのレンズ装置に係り、特にテレビカメラからレンズ装置を取り外すと、自動でフォーカスレンズ及びズームレンズを収納位置に退避させるテレビカメラのレンズ装置に関する。
【０００２】
【従来の技術】
従来、テレビカメラで使用される着脱可能なレンズ装置は、屋外で使用される場合等には、通常、カメラから取り外されて収納箱に収納されて運搬される。
【０００３】
【発明が解決しようとする課題】
しかしながら、従来、フォーカスレンズやズームレンズは、レンズ装置がカメラから取り外される際の位置（電源オフ時の位置）で停止しているため、その位置が適切でないと上述のようにレンズ装置を運搬する際に、強い振動や衝撃によって、レンズをモータ駆動するためのギアやカム溝等にガタ等が生じることがあった。このため、レンズの操作性や光学性能が悪化したり、最悪の場合には故障して使用できなくなることもあった。
【０００４】
本発明はこのような事情に鑑みてなされたもので、運搬時等における振動や衝撃によってレンズの操作性や光学性能が劣化するのを防止するテレビカメラのレンズ装置を提供することを目的とする。
【０００５】
【課題を解決するための手段】
本発明は前記目的を達成する為に、テレビカメラに着脱可能であって、フォーカスレンズ及び／又はズームレンズをモータによって駆動するテレビカメラのレンズ装置において、前記レンズ装置が前記テレビカメラに装着されているか否かを検出するレンズ着脱検出手段と、前記レンズ着脱検出手段によって前記レンズ装置が前記テレビカメラから取り外されたことを検出すると、前記フォーカスレンズ及び／又はズームレンズを所定の収納位置に移動させる制御手段と、を備え、前記収納位置は、撮影時における前記フォーカスレンズ及び／又はズームレンズの可動範囲の外側に設けられたことを特徴としている。
【０００６】
本発明によれば、レンズ装置がテレビカメラから取り外されると、フォーカスレンズ及び／又はズームレンズが所定の収納位置に自動で移動する。この収納位置として、例えば、撮影時のレンズの可動範囲外、或いは、撮影時における無限遠端及びワイド端にフォーカスレンズ及びズームレンズが移動するようにする。これにより、テレビカメラからレンズ装置を取り外した際に、フォーカスレンズやズームレンズを振動や衝撃等に強い位置に確実に収納させて運搬することができる。
【０００７】
【発明の実施の形態】
以下添付図面に従って本発明に係るテレビカメラのレンズ装置の好ましい実施の形態について詳説する。
図１は、本発明に係るレンズ装置が装着されたテレビカメラの構成図である。同図に示すように、テレビカメラ１０は、レンズ装置１２とカメラ本体１４から構成され、カメラ本体１４には、ビューファインダ１６が設けられている。前記レンズ装置１２はカメラ本体に着脱可能でありカメラ本体１４とはインターフェースを介して電気的に接続される。
【０００８】
テレビカメラ１０は雲台１８上に固定され、雲台１８から延設されたパン・チルト棒２２のグリップ部２４及び図示しない他のパン・チルト棒のグリップ部には、フォーカスやズームを操作するレンズコントローラ２６が取り付けられている。レンズコントローラ２６は、ケーブル２８を介してレンズ装置１２と接続されており、カメラマンは、ビューファインダ１６に映る撮影像を見ながらレンズコントローラ２６のフォーカスリングやズームリング（サムリング３０）を操作することでフォーカス調整やズーム調整を行うことができるようになっている。
【０００９】
図２は、上記レンズ装置の光学系の構成を示した断面図である。図２に示すようにレンズ鏡筒４０内に撮影光軸４２の前方（図中左側）からフォーカスレンズ４４、変倍系レンズ４６Ａと補正系レンズ４６Ｂとからなるズームレンズ４６、マスターレンズ４８が順に配設されている。
前記フォーカスレンズ４４は、レンズ枠５０に保持され、このレンズ枠５０の下端にはレンズ鏡筒４０のガイド溝４０Ａに光軸方向にガイドされるガイドピン５０Ａが設けられる。レンズ枠５０の上端には回動自在に支持された駆動ネジ５２が螺合され、その駆動ネジ５２の一端に固着されたギア５４が駆動モータ６０の回転軸に固着されたギア５６に噛合される。従って、駆動モータ６０が回動して駆動ネジ５２が回動することによりフォーカスレンズ４４が光軸方向に移動する。
【００１０】
前記ズームレンズ４６の変倍系レンズ４６Ａと補正系レンズ４６Ｂは、それぞれレンズ枠７０、７２に保持され、レンズ枠７０、７２の上端にはレンズ鏡筒４０のガイド溝４０Ｂに光軸方向にガイドされるガイドピン７０Ａ、７２Ａが設けられる。
また、レンズ枠７０、７２の下端にはそれぞれカムフォロワー７０Ｂ、７２Ｂが設けられ、カムフォロワー７０Ｂ、７２Ｂは、ズーム円筒カム７４のカム溝７４Ａ、７４Ｂに嵌合される。ズーム円筒カム７４の一端にはギア７６が固着され、このギア７６は駆動モータ６２の回転軸に固着されたギア７８と噛合される。
【００１１】
従って、駆動モータ６２が回動するとズーム円筒カム７４が回動し、ズーム円筒カム７４が回動することにより、カムフォロワー７０Ｂ、７２Ｂがカム溝７４Ａ、７４Ｂに従動し、変倍系レンズ４６Ａ及び補正系レンズ４６Ｂが光軸４２上を一定の関係をもって移動する。
また、上記ガイドピン７０Ａ、７２Ａをガイドするガイド溝４０Ｂにはズームレンズ４６の変倍系レンズ４６Ａのワイド側の可動範囲を規制するズームストッパー８０が取り付けられる。このズームストッパ−８０は、支軸８０Ａを中心に回動自在にレンズ鏡筒４０に支持されるとともに、図３のズームストッパー８０の正面図に示すようにズームストッパー８０の周面の一部に形成されたギア８０Ｂが駆動モータ６４の回転軸６４Ａに固着されたギア８２と噛合される。従って、駆動モータ６４が回動すると、ズームストッパー８０が支軸８０Ａを中心に揺動する。
【００１２】
ズームストッパー８０は撮影時（カメラの電源がオンされている場合）には図２及び図３に示すように、その一部がガイド溝４０Ｂに突出するような回転位置に固定され、上記ガイドピン７０Ａのワイド側の可動範囲を規制する。一方、レンズ装置１２を使用しない場合（レンズ装置１２がカメラ本体１４から取り外されている場合であり、この場合についての詳細は後述する。）には、ズームストッパー８０は駆動モータ６４によって図３に示す姿勢から９０°回転し、図４に示すようにズームストッパー８０がガイド溝４０Ｂに突出しない回転位置で固定される。
【００１３】
これにより、ズームレンズ４６、即ち、変倍系レンズ４６Ａと補正系レンズ４６Ｂは、ズームストッパー８０で規制される位置（ワイド端）より更にワイド側の位置８４、８４（以下、このときのズームレンズ４６の位置を逃げ位置という。）に移動できるようになり、レンズ装置１２を使用しない場合には、この逃げ位置にズームレンズ４６が収納されるようになっている。
【００１４】
尚、ズーム円筒カム７４のカム溝７４Ａ、７４Ｂには、ズームレンズ４６を上記ズームストッパー８０に規制されるワイド端の位置（このときのカムフォロワー７０Ｂ、７２Ｂのカム溝７４Ａ、７４Ｂ上の位置を符号８６、８６で示す。）から上記逃げ位置（このときのカムフォロワー７０Ｂ、７２Ｂのカム溝７４Ａ、７４Ｂ上の位置を符号８８、８８で示す。）に移動させるためのカム溝が延設されている。
【００１５】
また、ズームレンズ４６と同様にフォーカスレンズ４４についても、前後方向に移動可能な範囲に対して、撮影時における可動範囲が無限遠側で制限されており、レンズ装置１２を使用しない場合（レンズ装置１２がカメラ本体１４から取り外されている場合）には、その制限された位置よりも更に無限遠側の逃げ位置（ガイド溝４０Ａの符号９０で示す位置）にフォーカスレンズ４４が収納されるようになっている。
【００１６】
図５は、上記レンズ装置１２のフォーカスレンズ４４及びズームレンズ４６の制御系の構成を示した概略構成図である。同図に示すようにレンズ装置１２の光学系には上記フォーカスレンズ４４、変倍系レンズ４６Ａと補正系レンズ４６Ｂとからなるズームレンズ４６、マスターレンズ４８及び絞り４９等の光学部材と上記ズームストッパー８０が設けられている。尚、符号１３０は各光学部材を介して受光面上に結像した被写体像を電気信号に変換する撮像素子、符号１３２は撮像素子１３０から入力した画像信号に所定の信号処理を施し、上記ビューファインダ１６や映像出力端子に映像信号を出力する信号処理回路であり、これらの撮像素子１３０、信号処理回路１３２はカメラ本体１４内に設けられる。
【００１７】
また、上記フォーカスレンズ４４及びズームレンズ４６を制御する制御系として、フォーカスレンズ４４、ズームレンズ４６及びズームストッパ８０を駆動するための駆動回路１００、１０２、１０４及び駆動モータ６０、６２、６４と、フォーカスレンズ４４、ズームレンズ４６の位置を検出する検出器１０６、１０８及びＡ／Ｄ変換器１１０、１１２と、上記各部材を制御する制御回路１２０とが設けられている。尚、マスターレンズ４８や絞り４９等も制御回路１２０等によって制御されるが、ここではその構成は省略する。
【００１８】
上記制御回路１２０には、フォーカスデマンド（フォーカスリング）、ズームレート（サムリング）、絞りツマミ等のレンズコントローラ２６から指令信号が加えられるようになっており、制御回路１２０はレンズコントローラ２６からの指令信号に基づいて各レンズ、絞り４４を制御する。
また、制御回路１２０には、カメラ本体１４のメイン電源１３４が図示しないインターフェース及びレンズ装置１２の電源切替部１２２を介して接続される。撮影時（カメラ本体１４のメイン電源１３４がオンされている場合）において、制御回路１２０にはメイン電源１３４からの電源が供給され、制御回路１２０から上記駆動回路１００、１０２及び駆動モータ６０、６２等に電源が供給されてフォーカスレンズ４４及びズームレンズ４６が作動するようになっている。
【００１９】
一方、レンズ装置１２には補助電源１２４が搭載され、補助電源１２４は上記電源切替部１２２に接続される。尚、補助電源１２４としては、例えば１次電池、２次電池又はコンデンサ等のように電源を供給できるものであればどのようなものでもよく、２次電池やコンデンサ等の充電式の電源を使用する場合には、メイン電源１３４から電源が供給されている間にメイン電源１３４によって充電を行えるようにする。
【００２０】
また、上記電源切替部１２２には接続検出部１２６が接続される。この接続検出部１２６は、例えば、レンズ装置１２のカメラ本体１４との接続部に設けられたスイッチを有しており、レンズ装置１２がカメラ本体１４に装着されている場合にはスイッチがオフとなり、レンズ装置１２がカメラ本体１４から取り外されている場合にはスイッチがオンとなるようになっている。
【００２１】
上記電源切替部１２２は、上記接続検出部１２６のスイッチの状態に応じて、制御回路１２０に接続する電源をメイン電源１３４と補助電源１２４とで切り替える。接続検出部１２６のスイッチがオフの場合、即ち、レンズ装置１２がカメラ本体１４に装着されている場合には、メイン電源１３４を制御回路１２０に接続して上記フォーカスレンズ４４、ズームレンズ４６等をメイン電源１２によって動作させる。
【００２２】
一方、上記接続検出部１２６のスイッチがオフからオンになった場合、即ち、レンズ装置１２がカメラ本体１４から取り外された場合、電源切替部１２２は、補助電源１２４を制御回路１２０に接続する。
これにより、レンズ装置１２がカメラ本体１４から取り外されると、上記制御回路１２０は補助電源１２４からの電源によってレンズ装置１２の動作を確保し、上記駆動回路１００、１０２及び駆動モータ６０、６２を作動させてフォーカスレンズ４４及びズームレンズ４６を上記逃げ位置に移動させる。尚、このとき、駆動回路１０４及び駆動モータ６４を作動させてズームストッパー８０によるズームレンズ４６の可動範囲の規制を解除する。
【００２３】
このように、レンズ装置１２がカメラ本体１４から取り外されると、フォーカスレンズ４４及びズームレンズ４６は、撮影時の可動範囲外である無限遠側及びワイド側の逃げ位置（図２に示したように、ガイドピン５０Ａが位置９０に移動した時のフォーカスレンズ４４の位置及びガイドピン７０Ａ、７２Ａが位置８４、８４に移動した時のズームレンズ４６の位置）に収納されるようになっているため、レンズ装置１２をカメラ本体１４から取り外して運搬等する際に、強い振動や衝撃によってフォーカス駆動ネジ５２やズーム円筒カム７４のカム溝７４Ａ、７４Ｂにガタ等が生じても、撮影時におけるフォーカスレンズ４４やズームレンズ４６の可動範囲内には何の影響もなく、レンズの操作性や光学性能の劣化が防止される。
【００２４】
また、メイン電源１３４がオフされると自動でフォーカスレンズ４４及びズームレンズ４６をこれらの逃げ位置に移動させるようにしているため、ユーザに煩雑な手間を強いることなく、確実に運搬時等の衝撃からレンズ装置１２を保護することができる。
次に上記レンズ装置１２がカメラ本体１４から取り外された際の上記レンズ装置１２の制御内容について説明する。図６は、その際の上記レンズ装置１２の制御手順を示したフローチャートである。撮影が終了し、レンズ装置１２がカメラ本体１４から取り外されると（ステップＳ１０）、接続検出部１２６のスイッチがオンされ、この接続検出部１２６のオン動作によって上記電源切替部１２２は、電源をメイン電源１３４から補助電源１２４に切り替える（ステップＳ１２）。これにより、レンズ装置１２の動作が補助電源１２４によって確保される。
【００２５】
電源切替部１２２が電源を補助電源１２４に切り替えると、次に制御回路１２０は、電源が補助電源１２４に切り替えられたことを電源切替部１２２の状態或いはカメラ本体１４からの信号等によって検出する。尚、電源が補助電源１２４に切り替えられたことをカメラ本体１４からの信号によって検出する方法として、例えば、カメラ本体１４との信号のやり取りにおいてカメラ本体１４からの応答信号が有るか否か、又は、カメラ本体１４からメイン電源１３４をオフすることを示す信号が入力されるようになっている場合にはその信号を入力したか否かによって判断することができる。
【００２６】
そして、制御回路１２０は、まず駆動回路１０４に駆動信号を出力し、補助電源１２４によって駆動モータ６４を駆動させ、ズームストッパー８０を解除する（ステップＳ１４）。これによりズームレンズ４６が逃げ位置に移動可能となる。
次いで、駆動回路１００、１０２に駆動信号を出力し、補助電源１２４によって駆動モータ６０、６２を駆動させ、フォーカスレンズ４４及びズームレンズ４６をそれぞれ無限遠側、ワイド側の逃げ位置に移動させる（ステップＳ１６）。
【００２７】
そして、制御回路１００は、検出器１０６、１０８によってフォーカスレンズ４４及びズームレンズ４６の位置を検出し、フォーカスレンズ４４及びズームレンズ４６が逃げ位置に到達したか否かを判定する（ステップＳ１８）。フォーカスレンズ４４及びズームレンズ４６がそれぞれ逃げ位置に到達した場合には、フォーカスレンズ４４及びズームレンズ４６を停止させ（ステップＳ２０）、補助電源１２４をオフ（ステップＳ２２）して処理を終了する。尚、補助電源１２４をオフする場合には、電源切替部１２２を制御して補助電源１２４の接続をメイン電源１３４に切り替えるようにしてもよいし、また、補助電源１２４から電源切替部１２２への電源の供給を直接遮断するようにしてもよい。
【００２８】
以上により、レンズ装置１２をカメラ本体１４から取り外すと、フォーカスレンズ４４及びズームレンズ４６が逃げ位置に自動で退避するようになる。
次に、上記レンズ装置１２がカメラ本体１４から取り外されている状態からカメラ本体１４に装着された後、カメラ本体１４のメイン電源１３４がオンされた際の上記レンズ装置１２の制御内容について説明する。図７は、その際の上記レンズ装置１２の制御手順を示したフローチャートである。レンズ装置１２がカメラ本体１４に装着されると（ステップＳ２８）、接続検出部１２６のスイッチがオフされ、この接続検出部１２６のオフ動作によって上記電源切替部１２２は、制御回路１２０にメイン電源１３４を接続する。
【００２９】
次いでユーザによってカメラ本体１４に設けられているメイン電源１３４のスイッチ等がオンされると、カメラ本体１４側においてメイン電源１３４がオンされ、カメラ本体１４の動作が開始するとともに（ステップＳ３０）、制御回路１２０の動作が開始し（ステップＳ３２）、制御回路１２０は、まず以下の初期設定を実行する。
【００３０】
制御回路１２０は初期設定を開始すると、まず、駆動回路１００、１０２に駆動信号を出力し、駆動モータ６０、６２を駆動してフォーカスレンズ４４及びズームレンズ４６をそれぞれ逃げ位置から所定の設定位置に移動させる（ステップＳ３４）。尚、設定位置は、例えば、フォーカスレンズ４４を撮影時における無限遠端、ズームレンズ４６を撮影時におけるワイド端としてもよいし、調節器によってユーザが予め所望の位置に設定できるようにしてもよい。また、メイン電源１３４がオフされた際のフォーカスレンズ４４及びズームレンズ４６の位置を設定位置としてメモリに記録しておき、メイン電源１３４がオンされた際にその位置に復帰させるようにしてもよい。
【００３１】
そして、制御回路１２０は、検出器１０６、１０８によってフォーカスレンズ４４及びズームレンズ４６が上記設定位置に到達したか否かを判定し（ステップＳ３６）、到達した場合にはその位置でフォーカスレンズ４４及びズームレンズ４６を停止させる（ステップＳ３８）。尚、フォーカスレンズ４４及びズームレンズ４６を設定位置に停止させた後、マスターレンズ４８を図示しない駆動機構によって駆動してピントの初期設定を行うようにしてもよい。
【００３２】
次いで、制御回路１２０は、駆動回路１０４に駆動信号を出力し、駆動モータ６４を駆動して、ズームストッパー８０を有効にし、ズームレンズ３４のワイド端位置を規制する（ステップＳ４０）。
これにより、制御回路１２０は、初期設定処理を終了し、通常の撮影動作のモード（ノーマルモード）に切り替える（ステップＳ４２）。尚、上記初期設定処理において制御回路１２０が、例えば、フォーカスレンズ４４、ズームレンズ４６を位置制御によって設定位置に移動させていた場合等に、ノーマルモードでは、レンズコントローラ２６による通常の制御、即ち、フォーカスレンズ４４を位置制御、ズームレンズ４６を速度制御に切り替える。
【００３３】
以上の処理により、逃げ位置に収納されたフォーカスレンズ４４及びズームレンズ４６が逃げ位置から撮影時における可動範囲に復帰し、撮影が行えるようになる。
尚、上記図７のフローチャートでは、レンズ装置１２がカメラ本体１４に装着された後、カメラ本体１４のメイン電源１３４がオンされて初めてフォーカスレンズ４４やズームレンズ４６が撮影時におけるレンズ可動範囲内に復帰するようにしたが、これに限らず、レンズ装置１２がカメラ本体１４に装着された際に、カメラ本体１４のメイン電源１３４のオン・オフにかかわらず補助電源１２４によりフォーカスレンズ４４及びズームレンズ４６を所定の設定位置に復帰させるようにしてもよい。
【００３４】
以上、上記実施の形態では、レンズ装置１２がカメラ本体１４から取り外された後、フォーカスレンズ４４及びズームレンズ４６が逃げ位置に到達すると、制御回路１２０の指示によって補助電源１３４をオフさせるようにしたが、制御回路１２０の指示等によらず、例えば、タイマーによって補助電源１２４からの電源の供給時間を制限し、所定時間が経過した場合に補助電源１２４が自動でオフとなるようにしてもよい。
【００３５】
また、上記実施の形態では、フォーカスレンズ４４及びズームレンズ４６の逃げ位置を無限遠側及びワイド側に設けたが、これに限らず至近側及びテレ側に設けるようにしてもよい。
また、上記実施の形態では、ズームレンズ４６についてのみ撮影時における可動範囲を規制するズームストッパー８０を設けるようにしたが、フォーカスレンズ４４について同様に撮影時における可動範囲を規制するストッパーを設けるようにしてもよい。
【００３６】
また、上記実施の形態では、フォーカスレンズ４４及びズームレンズ４６を撮影時におけるレンズの可動範囲の外側に設けた逃げ位置に収納するようにしたが、これに限らず、撮影時におけるレンズ可動範囲内の振動や衝撃に強い位置に収納するようにしてもよい。例えば、機械的に振動や衝撃に強い位置を収納位置としてもよいし、また、フォーカスレンズ４４については無限遠端、ズームレンズ４６についてはワイド端を収納位置としてもよい。即ち、フォーカスレンズ４４の無限遠端近傍やズームレンズ４６のワイド端近傍においては、至近端やテレ端と比較してフォーカスレンズ４４やズームレンズ４６の位置精度が低くても撮影画像に与える影響が少なく、仮にレンズ装置１２の運搬中等に強い振動や衝撃によって無限遠端或いはワイド端における位置精度が劣化したとしてもレンズの操作性や光学性能に与える影響は少ない。
【００３７】
従って、無限遠端及びワイド端をフォーカスレンズ４４及びズームレンズ４６の収納位置とすることによっても、振動や衝撃によってレンズの操作性や光学性能が劣化するのを防止することができる。
尚、レンズの収納位置を撮影時におけるレンズの可動範囲内とした場合においても、上記実施の形態と同様、レンズ装置１２がカメラ本体１４に装着された際に（又は、装着された後カメラ本体１４のメイン電源１３４がオンされた際に）、フォーカスレンズ４４及びズームレンズ４６を所定の設定位置、例えば、レンズ装置１２の取り外し時におけるフォーカスレンズ４４及びズームレンズ４６の位置等に移動させるようにしてもよい。
【００３８】
【発明の効果】
以上説明したように本発明に係るテレビカメラのレンズ装置によれば、レンズ装置がテレビカメラから取り外されると、フォーカスレンズ及び／又はズームレンズを所定の収納位置に自動で移動させるようにしたため、テレビカメラからレンズ装置を取り外して運搬する際に、フォーカスレンズやズームレンズを振動や衝撃等に強い位置に確実に退避させることができる。これにより、ユーザの手間を要せず、且つ確実に運搬時の衝撃等によるレンズの操作性や光学性能の劣化を防止することができる。
【図面の簡単な説明】
【図１】図１は、本発明に係るレンズ装置が装着されたテレビカメラの構成図である。
【図２】図２は、本発明に係るレンズ装置の光学系の構成を示した断面図である。
【図３】図３は、本発明に係るレンズ装置の制御系の構成を示した構成図である。
【図４】図４は、ズームストッパーの正面図である。
【図５】図５は、ズームストッパーがオフされている場合を示した正面図である。
【図６】図６は、本発明に係るレンズ装置のカメラ本体取り外し時の制御手順を示したフローチャートである。
【図７】図７は、本発明に係るレンズ装置のカメラ本体装着時の制御手順を示したフローチャートである。
【符号の説明】
１０…テレビカメラ
１２…レンズ装置
１４…カメラ本体
１６…ビューファインダ
２６…レンズコントローラ
４４…フォーカスレンズ
４６…ズームレンズ
１００、１０２、１０４…駆動回路
６０、６２、６４…駆動モータ
１０６、１０８…検出器
１２０…制御回路
１２２…電源切替部
１２４…補助電源
１２６…接続検出部
１３４…メイン電源
【図１】
0003834955.tif 000002
【図２】
0003834955.tif 000003
【図３】
0003834955.tif 000004
【図４】
0003834955.tif 000005
【図５】
0003834955.tif 000006
【図６】
0003834955.tif 000007
【図７】
0003834955.tif 000008